(57)【要約】【課題】指令された付臭剤流量とガス導管内に注入される付臭剤流量とが一致するようにする。【解決手段】ガス導管２の途中に、付臭剤注入ノズル１１を下向きに差し込むように設置する。ガス導管２外に突出位置する付臭剤注入ノズル１１の上端部を取り囲む位置に、付臭剤注入室１２を設ける。付臭剤注入室１２に、付臭剤供給管８を横向きに接続する。付臭剤注入ノズル１１の上端部の側壁に、複数の小孔１３を段違いに穿設する。付臭剤７を、付臭剤供給管８を通し付臭剤注入室１２に供給して一旦溜めた後、小孔１３から付臭剤注入ノズル１１内にオーバーフローさせてガス導管２内に注入する。【選択図】　　　　図１
2004075726.tif 000002
【特許請求の範囲】
【請求項１】
ガスを流通させるガス導管の途中に設置した付臭剤注入ノズルの上端部を取り囲む位置に付臭剤注入室を設けて、該付臭剤注入室に付臭剤供給管を接続し、且つ上記付臭剤注入ノズルの付臭剤注入室内における側壁に、複数の小孔を上下方向に段違いに穿設し、上記付臭剤注入室に導入した付臭剤を、付臭剤注入ノズルの小孔からオーバーフローさせて付臭剤注入ノズルよりガス導管内に注入するようにした構成を有することを特徴とするガス付臭装置。
【請求項２】
小孔の穿設位置を、付臭剤注入室への付臭剤供給管接続部とは反対側となるような位置とするようにした請求項１記載のガス付臭装置。
【請求項３】
付臭剤注入ノズルの側壁に複数の小孔を穿設することに代えて、上下方向に延びるスリットを設けた請求項１又は２記載のガス付臭装置。
【発明の詳細な説明】
【０００１】
【発明の属する技術分野】
本発明は天然ガス等の無臭ガスに臭いを付けるために用いるガス付臭装置に関するものである。
【０００２】
【従来の技術】
天然ガスは発電用燃料として、又、工場や家庭の燃料として広く使用されているが、この天然ガスは無臭であり、漏洩するとその検出が困難であるため、臭いの元である付臭剤を混ぜ、あえて臭いを付けて供給するようにしている。
【０００３】
従来のガス付臭装置は、図３にその一例の概要を示す如く、天然ガスの如きガス１を流通させるガス導管２の途中に、流量計３を設置すると共に、該ガス導管２の流量計設置位置よりも下流位置に、小口径の付臭剤注入ノズル４を下向きに差し込むようにして設置し、ガス導管２の外に突出位置する該付臭剤注入ノズル４の基端部には、定量ポンプ５の運転により付臭剤タンク６内の付臭剤７を供給するようにしてある小口径の付臭剤供給管８を直接接続し、上記流量計３により検出したガス流量に基づく制御装置９からの指令で定量ポンプ５の運転又は付臭剤供給管８の途中に設けた流量調整弁１０の開度が制御されることにより、付臭剤注入ノズル４によるガス導管２内への付臭剤７の注入量が調整されてガス導管２内へ注入されるようにしてある。
【０００４】
【発明が解決しようとする課題】
ところが、定量ポンプ５や流量調整弁１０は、メンテナンス等がし易いように、付臭剤注入ノズル４から離れた上方に位置しているため、定量ポンプ５や流量調整弁１０により付臭剤７の流量が制御されても、ガス導管２に到着するまでの間に、配管形状や重力の影響等を受けることから、制御装置９からの指令に基づく付臭剤７の流量と実際に注入される付臭剤７の流量とがなかなか一致しないという問題がある。特に、流量調整弁１０から付臭剤注入ノズル４までの距離が長い（高さ寸法が大きい）と、流量調整弁１０を閉じても、付臭剤７が重力落下してしまうという問題がある。
【０００５】
そこで、本発明は、配管形状や重力の影響等を緩和し、指令された付臭剤流量とガス導管内に注入される付臭剤流量とを一致させることができるようにしようとするものである。
【０００６】
【課題を解決するための手段】
本発明は、上記課題を解決するために、ガスを流通させるガス導管の途中に設置した付臭剤注入ノズルの上端部を取り囲む位置に付臭剤注入室を設けて、該付臭剤注入室に付臭剤供給管を接続し、且つ上記付臭剤注入ノズルの付臭剤注入室内における側壁に、複数の小孔を上下方向に段違いに穿設し、上記付臭剤注入室に導入した付臭剤を、付臭剤注入ノズルの小孔からオーバーフローさせて付臭剤注入ノズルよりガス導管内に注入するようにした構成とする。
【０００７】
付臭剤は、付臭剤供給管を通し付臭剤注入室に一旦溜められてから、付臭剤注入ノズルの小孔からオーバーフローして、付臭剤注入ノズルを通しガス導管内に注入されるため、配管形状や重力の影響等を緩和することができる。又、小孔は段違いに穿設されていることから、付臭剤の流量の増減に対応することができる。
【０００８】
又、小孔の穿設位置を、付臭剤注入室への付臭剤供給管接続部とは反対側となるような位置とするようにした構成とすることにより、付臭剤は液面の動揺が少ない位置から安定してオーバーフローされる。
【０００９】
更に、付臭剤注入ノズルの側壁に複数の小孔を穿設することに代えて、上下方向に延びるスリットを設けた構成とすることにより、付臭剤の流量調整を無段階に行うことができる。
【００１０】
【発明の実施の形態】
以下、本発明の実施の形態を図面を参照して説明する。
【００１１】
図１（イ）（ロ）は本発明の実施の一形態を示すもので、図３に示すガス付臭装置において、小口径の付臭剤注入ノズル４の基端部に小口径の付臭剤供給管８を直接接続することに代えて、上記付臭剤注入ノズル４よりも大口径の付臭剤注入ノズル１１を、取付フランジ１５を通しガス導管２内に先端となる下端が臨むように設置し、ガス導管２の外に突出位置する付臭剤注入ノズル１１の基端部となる上端部及びその上方部を取り囲む位置に、付臭剤注入室１２を設け、該付臭剤注入室１２の側壁の所要位置に、横向きに導いた付臭剤供給管８を接続して連通させ、付臭剤供給管８を通して付臭剤注入室１２内に付臭剤７を導入して、ここで一旦溜めることができるようにし、且つ上記付臭剤注入室１２内に位置する付臭剤供給ノズル１１の上端部における付臭剤供給管８の接続部とは反対側となるような離れた位置の側壁に、たとえば、３つの小孔１３を、上下方向に段違い状態となるように穿設し、付臭剤注入室１２内に溜められた付臭剤７を、小孔１３よりオーバーフローさせることにより付臭剤注入ノズル１１を通してガス導管２内に注入させるようにする。その他の構成は図３に示したものと同じであり、同一部分には同一符号が付してある。
【００１２】
定量ポンプ５を運転すると、付臭剤タンク６内の付臭剤７は付臭剤供給管８を通して付臭剤注入室１２に導入されて一旦溜められることになり、次第に付臭剤７の液面が上昇して１段目（最下段）の小孔１３の位置に達すると、該１段目の小孔１３から付臭剤注入ノズル１１内にオーバーフローし、該付臭剤注入ノズル１１を通してガス導管２内に注入される。この場合、付臭剤注入室１２に導入される付臭剤７が１段目の小孔１３からだけでは処理しきれない流量となると、液面が更に上昇することにより、２段目、３段目の小孔１３からも順次オーバーフローすることになり、最終的には付臭剤注入ノズル４の上端からオーバーフローすることになる。
【００１３】
上記において、ガス導管２内に注入すべき付臭剤７は、付臭剤注入室１２内に一旦溜められるので、付臭剤供給管８の配管形状や重力の影響等を緩和することができる。したがって、定量ポンプ５や流量調整弁１０により制御された付臭剤７の流量とガス導管２内に注入される付臭剤７の流量とを一致させることができる。又、この際、上記したように、付臭剤注入ノズル１１の上端部の側壁に穿設してある小孔１３は、上下方向に段違い状にしてあるため、付臭剤７の流量の増減に対応することができる。しかもこの小孔１３の穿設位置は付臭剤注入室１２への付臭剤供給管８の接続位置とは離れた反対側であることから、液面の動揺も少なく、オーバーフローを安定して行わせることができる。
【００１４】
次に、図２は本発明の実施の他の形態を示すもので、図１（イ）（ロ）に示したものと同様な構成において、付臭剤注入ノズル１１の上端部の側壁に複数の小孔１３を段違いに穿設することに代えて、付臭剤注入ノズル１１の上端部の側壁に、上端から下向きに所要長さのスリット１４を設けたものである。
【００１５】
図２の実施の形態の場合には、スリット１４が上下方向に一連に延びているため、付臭剤７の流量の増減に無段階に対応することができる。
【００１６】
なお、上記実施の形態では、天然ガスの如きガス１に付臭する場合について説明したが、他のガスに付臭する場合についても同様に適用することができること、又、図１（イ）（ロ）の実施の形態における小孔１３の数、位置は任意に選定し得ること、その他本発明の要旨を逸脱しない範囲内において種々変更を加え得ることは勿論である。
【００１７】
【発明の効果】
以上述べた如く、本発明のガス付臭装置によれば、次の如き優れた効果を発揮する。
（１）ガスを流通させるガス導管の途中に設置した付臭剤注入ノズルの上端部を取り囲む位置に付臭剤注入室を設けて、該付臭剤注入室に付臭剤供給管を接続し、且つ上記付臭剤注入ノズルの付臭剤注入室内における側壁に、複数の小孔を上下方向に段違いに穿設し、上記付臭剤注入室に導入した付臭剤を、付臭剤注入ノズルの小孔からオーバーフローさせて付臭剤注入ノズルよりガス導管内に注入するようにした構成としてあるので、付臭剤注入室内に付臭剤を一旦溜めることができ、これにより、配管形状や重力の影響等を緩和することができ、定量ポンプや流量調整弁により制御された付臭剤流量と、ガス導管内に注入する付臭剤流量とを一致させることができ、又、付臭剤流量の増減に対応することができる。
（２）小孔の穿設位置を、付臭剤注入室への付臭剤供給管接続部とは反対側となるような位置とするようにした構成とすることにより、付臭剤のオーバーフローを安定して行わせることができる。
（３）付臭剤注入ノズルの側壁に複数の小孔を穿設することに代えて、上下方向に延びるスリットを設けた構成とすることにより、付臭剤流量の増減に無段階に対応することができる。
【図面の簡単な説明】
【図１】本発明の本発明のガス付臭装置の実施の一形態を示すもので、（イ）は全体の概略図、（ロ）は（イ）のＡ部拡大側面図である。
【図２】本発明の実施の他の形態を示す部分拡大図である。
【図３】従来のガス付臭装置の一例を示す概要図である。
【符号の説明】
１　ガス
２　ガス導管
７　付臭剤
８　付臭剤供給管
１１　付臭剤注入ノズル
１２　付臭剤注入室
１３　小孔
１４　スリット
【図１】
2004075726.tif 000003
【図２】
2004075726.tif 000004
【図３】
2004075726.tif 000005